(57)【要約】      （修正有）【課題】自動画像補正回路において、ユーザによる個別の設定を必要とすることなく、入力画像信号に基づいて自動的に補正強度を調整可能とする。【解決手段】画像補正部は受信した画像データから統計情報を抽出し、その統計情報に基づいて、例えば彩度補正、コントラスト補正などの各種の画像補正を行う。また、受信部は画像データに加えて、当該画像データの画像ソース種別情報を受信する。画像ソース種別情報は、例えばＴＶ番組のチャンネルやジャンルなど当該画像データの種類などを示し、当該画像データに対して行うべき画像補正に関連を有する情報である。補正強度調整部は、画像ソース種別情報に基づいて、画像補正部により実行される画像補正の強度を調整する。さらに、ユーザが再設定した補正強度は記憶される。【選択図】図１
2006173856.tif 000002
【特許請求の範囲】
【請求項１】
画像データ及び当該画像データの画像ソース種別情報を含む送信情報を受信する受信部と、
前記画像データから統計情報を抽出し、抽出した統計情報に基づいて当該画像データに対して画像補正を実行する画像補正部と、
前記画像ソース種別情報に基づいて、前記画像補正部が実行する画像補正の強度を自動調整する補正強度調整部と、を備えることを特徴とする自動画像補正装置。
【請求項２】
前記画像ソース種別情報に対応する調整レベルを規定した変換テーブルを備え、
前記補正強度調整部は、前記変換テーブルを参照して、前記画像ソース種別情報に対応する調整レベルを取得し、当該調整レベルに応じて前記画像補正部による補正強度を設定することを特徴とする請求項１に記載の自動画像補正装置。
【請求項３】
前記画像データはＴＶ番組の画像データであり、前記画像ソース種別情報は前記ＴＶ番組のチャンネル及びジャンルを示す情報を含み、前記変換テーブルは前記チャンネル及び前記ジャンル毎に調整レベルを規定していることを特徴とする請求項２に記載の自動画像補正装置。
【請求項４】
前記補正強度調整部は、前記画像データの明るさ、彩度及びコントラストの調整レベルに基づいて、画像データの明るさを補正するレベル補正、彩度補正及びコントラスト補正の補正強度をそれぞれ調整することを特徴とする請求項２に記載の自動画像補正装置。
【請求項５】
前記画像補正部は、画像補正の強度を示す設定値を記憶するレジスタを有し、
前記補正強度調整部は、前記画像ソース種別情報に基づいて、前記設定値を設定することを特徴とする請求項１に記載の記載の自動画像補正装置。
【請求項６】
前記変換テーブルは、
前記画像ソース種別情報から指定される第１の変換テーブルと、
当該第１の変換テーブルから得られた調整レベルを回路上の強度レベルの係数へ変換する第２の変換テーブルと、を有することを特徴とする請求項２に記載の記載の自動画像補正装置。
【請求項７】
前記変換テーブルは、インタフェースを通じて、データの書き換えができることを特徴とする請求項２に記載の記載の自動画像補正装置。
【請求項８】
請求項１乃至７のいずれか一項に記載の自動画像補正装置と、
前記自動画像補正装置により画像補正がなされた画像データを表示する画像表示部と、を備えることを特徴とする電子機器。
【発明の詳細な説明】
【技術分野】
【０００１】
本発明は、取得した画像データに対して自動的に画像補正を行う自動画像補正装置に関する。
【背景技術】
【０００２】
入力される画像データに対して自動的に画像補正を行う自動画像補正回路が知られている。既知の自動画像補正回路は、入力される動画像の画像情報から自動的に画像補正のための統計情報を取得し、現在入力されている動画像に適した画像補正を行う。画像補正としては、例えば明るさ（Luminance）、コントラスト（Sharpness）、彩度（Saturation）などの補正が知られている。
【発明の開示】
【発明が解決しようとする課題】
【０００３】
上記の自動画像補正回路は、放送局から送信されるテレビジョン（ＴＶ）画像信号に対して自動画像補正を行うことももちろん可能であり、上記のようにＴＶ画像信号から自動的に統計情報を抽出して画像補正を行うことによって補正効果を得ることができる。
【０００４】
しかし、ＴＶ画像信号の場合、放送局毎に画像の調整方法が異なっており、送信されるＴＶ画像信号の画質の傾向が異なっていることが多い。例えば同じスポーツ放送であっても、ある放送局の画像は他の放送局の画像より明るめであるとか、彩度がより強調されているというように、放送局毎の画質の相違が存在する。
【０００５】
また、同一の放送局から送信されるＴＶ画像信号であっても、番組のジャンルや内容によって画質が異なっている場合も多い。例えば、映画などの番組では黒色が引き締まった階調性の滑らかな画像とする、ニュースなどの番組ではテロップ（字幕）がはっきり見えるようにコントラスト（シャープネス）を高くする、スポーツなどの番組では臨場感を出すためにコントラストや彩度を高めにするなど、番組内容やジャンルに応じて画質の調整方法が異なることが多い。
【０００６】
この点、従来の自動画像補正回路は、前述のように入力画像から自動的に統計情報を取得して画像補正を行うように構成されているものの、レベル補正、コントラスト補正などの各補正を行う度合い（補正強度）は主としてユーザによる設定などに基づいて決定されていた。従って、上記のように入力画像信号の画質が放送局毎及び／又は番組のジャンル毎に異なっている場合には、各ユーザが個別に補正強度を調整することが必要であった。
【０００７】
本発明は以上の点に鑑みてなされたものであり、ユーザによる個別の設定を必要とすることなく、入力画像信号に基づいて自動的に補正強度を調整することが可能な自動画像補正装置を提供することを課題とする。
【課題を解決するための手段】
【０００８】
本発明の１つの観点では、自動画像補正装置は、画像データ及び当該画像データの画像ソース種別情報を含む送信情報を受信する受信部と、前記画像データから統計情報を抽出し、抽出した統計情報に基づいて当該画像データに対して画像補正を実行する画像補正部と、前記画像ソース種別情報に基づいて、前記画像補正部が実行する画像補正の強度を自動調整する補正強度調整部と、を備える。
【０００９】
上記の自動画像補正装置は、外部から供給される画像データに対して画像補正を行う装置であり、画像補正部は受信した画像データから統計情報を抽出し、その統計情報に基づいて、例えば彩度補正、コントラスト補正などの各種の画像補正を行う。また、受信部は画像データに加えて、当該画像データの画像ソース種別情報を受信する。画像ソース種別情報は、当該画像データの種類などを示し、当該画像データに対して行うべき画像補正に関連を有する情報である。補正強度調整部は、画像ソース種別情報に基づいて、画像補正部により実行される画像補正の強度を調整する。従って、受信した画像データの画像ソースに応じて、画像補正部によって実行される画像補正の強度が調整されることとなり、画像ソースに応じた適切な画像補正を自動的に行うことが可能となる。
【００１０】
上記の自動画像補正装置の一態様では、前記画像ソース種別情報に対応する調整レベルを規定した変換テーブルを備え、前記補正強度調整部は、前記変換テーブルを参照して、前記画像ソース種別情報に対応する調整レベルを取得し、当該調整レベルに応じて前記画像補正部による補正強度を設定する。この態様では、画像ソース種別情報毎に予め調整レベルを規定した変換テーブルが用意され、当該変換テーブルに基づいて画像補正の補正強度が調整される。従って、画像ソースの種別に応じて調整レベルを予め決定しておくことにより、容易に画像補正の強度を調整することができる。また、調整レベルの変更も、変換テーブルの内容を変更することにより容易に行うことができる。
【００１１】
上記の自動画像補正装置の好適な実施例では、前記画像データはＴＶ番組の画像データであり、前記画像ソース種別情報は前記ＴＶ番組のチャンネル及びジャンルを示す情報を含み、前記変換テーブルは前記チャンネル及び前記ジャンル毎に調整レベルを規定している。これにより、送信されるＴＶ番組のチャンネルやジャンル毎に適切な画像補正を自動的に行うことができる。よって、放送局から送信されるＴＶ番組の画像データが、チャンネルやジャンル毎に異なる画質に設定されている場合でも、それを受信した側で適切な画像補正を自動的に行うことが可能となる。
【００１２】
上記の自動画像補正装置の他の好適な実施例では、補正強度調整部は、画像データの明るさ、彩度及びコントラストの調整レベルに基づいて、画像データの明るさを補正するレベル補正、彩度補正及びコントラスト補正の補正強度をそれぞれ調整する。補正強度調整部は、調整レベルに基づいて、画像データの明るさを補正するレベル補正、彩度補正及びコントラスト補正の補正強度の調整を行う。
【００１３】
上記の自動画像補正装置の他の好適な実施例では、前記画像補正部は、画像補正の強度を示す設定値を記憶するレジスタを有し、前記補正強度調整部は、前記画像ソース種別情報に基づいて前記設定値を設定する。この態様では、画像補正部は画像補正の強度をレジスタ設定値として記憶し、当該レジスタ設定値に基づいて画像補正の強度を調整する。よって、補正強度調整部は画像ソース種別情報に基づいて、当該レジスタ設定値を変更すればよい。
【００１４】
上記の自動画像補正装置の他の一態様では、前記変換テーブルは、前記画像ソース種別情報から指定される第１の変換テーブルと、当該第１の変換テーブルから得られた調整レベルを回路上の強度レベルの係数へ変換する第２の変換テーブルと、を有する。この態様では、画像ソースにまったく関係の無い調整項目として、表示装置の特性上からの調整、表示装置の受信部（チューナー）部分の特性からの調整項目と、画像ソースごとに必要な調整を分離することができる。このため、こうした表示装置上の調整項目を簡略化することができる。
【００１５】
好適な例では、前記変換テーブルは、インタフェースを通じて、データの書き換えができる。この態様では、ＴＶを視聴している一般ユーザーが、好みの補正調整を行う場合に、第１の変換テーブルが一般的な補正量記述となっているため、容易に調整が可能である。さらに、このＴＶ番組ジャンルごとに調整を一般ユーザーが変えた場合には、第１の変換テーブルの内容が変更される。このため、映画を視聴後に、別のチャンネルのニュース番組を視聴した場合にも、第１の変換テーブルに従い補正を変更している本発明では、違和感なく、チャンネルを変更できる。従来のユーザー設定による補正の場合には、このチャンネル情報と補正量を記憶している部分がないため、チャンネルや番組を変更した場合には、補正と番組が一致しておらず、違和感のある画像が表示される場合がある。これは、映画などの映像ソースの場合には、階調性が重視されるが、ニュースなどの場合には、階調性よりも視認性を重視し、よりコントラストをはっきりさせた画像が好まれるような例を見れば明らかである。また、各ユーザーによって、同じ映画を見る場合にも、加齢効果により、明るい画像でなければよく見えなくなる場合もある。このような、ユーザーの好みを表示装置自身が記憶することにより、映像ソースの変更があっても自動的に、一度設定した補正にて表示を行えることは、いちいち設定をし直す手間が省けて、便利である。
【００１６】
また、上記の自動画像補正回路は、上記の自動画像補正装置と、前記自動画像補正装置により画像補正がなされた画像データを表示する画像表示部と、を備える電子機器に好適に適用することができる。
【発明を実施するための最良の形態】
【００１７】
以下、図面を参照して本発明の好適な実施形態について説明する。
【００１８】
［ＴＶ受信システム］
まず、本発明による自動画像補正装置を適用したＴＶ受信システムについて説明する。図１に、ＴＶ受信システムの概略構成を示す。ＴＶ受信システム１は、例えば家庭内に設けられ、受信部１１０と、自動画像補正回路１００と、画像表示部１２０とを備える。なお、実際には受信部１１０、自動画像補正回路１００及び画像表示部１２０が一体としてＴＶ受信機として構成される場合もあり、受信部１１０及び自動画像補正回路１００が一体としてセットトップボックスなどとして構成され、表示１２０に相当するＴＶモニタなどと接続される場合もある。
【００１９】
ＴＶ受信システム１は、放送局９０から送信されるＴＶ放送波２００を受信し、ＴＶ画像信号を抽出して表示する。具体的には、受信部１１０はアンテナ１１１によりＴＶ放送は２００を受信し、ＴＶ番組の画像データを含む復調信号Ｓ１を自動画像補正回路１００へ供給する。具体的には、復調信号Ｓ１は、受信したＴＶ番組の画像データｄ１、当該画像データの同期信号ＳＹ１（垂直及び水平同期信号を含む）、当該画像データのクロック信号ＣＬＫ１、及び、当該ＴＶ番組の画像ソース種別情報Ｓｂｒを含む。
【００２０】
具体的には、受信部１１０は、受信したＴＶ放送波を復調することによりＴＶ番組の画像データｄ１、同期信号ＳＹ１及びクロック信号ＣＬＫ１などを取得することができる。また、近年のデジタル放送では、電子番組表（ＥＰＧ）データなどの付加データが放送波に含まれて送信されている。よって、受信部１１０は、このような付加データから、放送されているＴＶ番組の放送局（チャンネル）及びジャンルなどの情報を取得することができる。よって、受信部１１０は、画像ソース種別情報Ｓｂｒとして、当該ＴＶ番組の放送局及びジャンルを示す情報を生成し、復調信号Ｓ１に含めて自動画像補正回路１００へ供給する。
【００２１】
自動画像補正回路１００は、本発明に係る自動画像補正装置に相当し、受信部１１０から供給された復調信号Ｓ１に含まれるＴＶ番組の画像データに対して自動画像補正を行い、画像補正後の画像データＳ２を画像表示部１２０へ供給する。画像表示部１２０は、例えばＣＲＴ、液晶ディスプレイ（ＬＣＤ）、その他の画像表示装置であり、自動画像補正回路１００から供給された画像データＳ２を表示する。
【００２２】
［自動画像補正装置の構成］
本発明の実施形態に係る自動画像補正回路１００について、図２を用いて詳細に説明する。図２は、自動画像補正回路１００の概略構成を示すブロック図である。
【００２３】
自動画像補正回路１００は、ＬＶＤＳ（Low Voltage Differential Signal）受信部１１と、ホストＩ／Ｆ１２と、レジスタ部１３と、統計値算出部１７と、画像補正ブロック５０ａ、５０ｂと、マルチプレクサ（Multi Plexer）２１と、係数設定部３１と、変換テーブル３２とを備えている。なお、ＬＶＤＳ受信部１１、画像補正ブロック５０ａ、５０ｂ、統計値算出部１７及びレジスタ部１３は本発明における画像補正部を構成する。また、係数設定部３１及び変換テーブル３２は本発明における補正強度調整部を構成する。
【００２４】
自動画像補正回路１００は、静止画や動画などの画像データを取得し、これらの画像データをフレームごとに自動的に画像補正する回路である。自動画像補正回路１００は、主に、表示される画像を強調（エンハンス）する画像補正を行う。
【００２５】
受信部１１０から供給される復調信号Ｓ１は、受信されたＴＶ番組の画像データｄ１、当該画像データの同期信号ＳＹ１（垂直同期信号と水平同期信号を含む）、当該画像データのクロック信号ＣＬＫ１、及び、画像ソース種別情報Ｓｂｒを含む。自動画像補正回路１００内の処理部は、基本的に同期信号ＳＹ１に対応するタイミングにて処理を行う。この同期信号ＳＹ１は、上記の画像表示部１２０にも供給される。
【００２６】
ＬＶＤＳ受信部１１は、自動画像補正回路１００が処理すべき画像データｄ１と、自動画像補正回路１００内で処理を行う際に基準となるクロック信号ＣＬＫ１とを復調信号Ｓ１から抽出する。画像データｄ１が高速で入力される場合にフルスイングの電圧でデータを出力すると回路内に電磁波障害（ＥＭＩ障害）が生じてしまうため、ＬＶＤＳ受信部１１は小さいスイングの電圧に抑えたデータを出力する。なお、入力される画像データｄ１はＲＧＢ形式のデータであり、例えば２４ビット／画素のデータであるものとする。
【００２７】
ＬＶＤＳ受信部１１は、入力される画像データｄ１を分割し、分割した画像データｄ２ａと画像データｄ２ｂをそれぞれ画像補正ブロック５０ａと画像補正ブロック５０ｂに供給する。また、ＬＶＤＳ受信部１１は、クロック信号ＣＬＫ１を分配し、クロック信号ＣＬＫ２ａとクロック信号ＣＬＫ２ｂを画像補正ブロック５０ａ、５０ｂに供給する。
【００２８】
なお、ＬＶＤＳ受信部１１は、２グループに分割された画像データを２系統にて取得することもでき、この場合には画像データを分割せずに画像補正ブロック５０ａ、５０ｂに画像データｄ２ａ、ｄ２ｂを供給する。また、画像データｄ１を単一のＬＶＤＳ受信部１１にて取得する構成に限定はされず、複数のグループに分割された画像データを複数のＬＶＤＳ受信部にて取得するように自動画像補正回路１００を構成してもよい。
【００２９】
ホストＩ／Ｆ１２は、復調信号Ｓ１に含まれる画像ソース種別情報Ｓｂｒを受け取り、当該画像ソース種別情報Ｓｂｒに基づいて、自動画像補正回路１００内で画像補正を行う際の補正強度を示す画像補正量を決定する。自動画像補正回路１００は、レベル補正、ガンマ補正、コントラスト補正、彩度補正などの各種の画像補正を実行するが、画像補正量はこれら各補正を行う範囲や画像補正を行う強さ（レベル）などを決める情報である。
【００３０】
画像ソース種別情報Ｓｂｒは、放送局９０から送信されるＴＶ番組の放送局及びジャンルを示す情報を含んでいる。また、変換テーブル３２は、それら放送局及びジャンル毎に予め設定された画像の調整レベルを規定している。よって、係数設定部３１は、画像ソース種別情報Ｓｂｒに基づき、変換テーブル３２に記述されている調整レベルに応じてコントラスト補正などの各補正の強度を示す画像補正量を決定し、レジスタ部１３に設定する。なお、係数設定部３１の動作についてはさらに後述する。
【００３１】
自動画像補正回路１００では、レベル補正、ガンマ補正、コントラスト補正、彩度補正などの各種の画像補正を実行するが、これが変換テーブルで指定されているわけではない。
これは、ユーザーにはまったく関係の無い表示装置の特性上からの調整、表示装置の受信部（チューナー）１１０部分の特性からの調整項目も含んでいるためである。画像ソースにまったく関係の無い調整項目を排除し、画像ソースごとに簡便に調整を行うためには、こうした表示装置上の調整項目を簡略化する必要がある。このため、変換テーブル３２は、２段構成となっており、チャンネル、ジャンルなど画像の特性から指定される第１の変換テーブル３２ａ（図３参照）と、この第１の変換テーブルから得られた調整レベルを回路上の強度レベルの係数へ変換する第２の変換テーブル３２ｂ（図４参照）によって、回路上動作する強度係数へと変換される。
【００３２】
レジスタ部１３は、レジスタを有しており、レジスタ内に前述した画像補正量を設定値として記憶している。そして、レジスタ部１３は、供給される同期信号ＳＹ１のタイミングにて、画像補正ブロック５０ａ、５０ｂ内の複数の処理部、及びマルチプレクサ２１に、画像補正量に対応する設定値を出力する。
【００３３】
自動画像補正回路１００は、２グループに分割された画像データｄ２ａ、ｄ２ｂを画像補正ブロック５０ａと画像補正ブロック５０ｂの２ブロックにて画像補正を行う。即ち、自動画像補正回路１００は、取得した画像データｄ１を複数ブロックによって画像補正を行う。具体的には、画像補正ブロック５０ａと画像補正ブロック５０ｂは、入力された画像データｄ２ａ、ｄ２ｂの各々に対して階調値のヒストグラム、輝度総和、及び彩度総和（即ち、「総和データ」）を算出し、総和データを統計値算出部１７に供給する。統計値算出部１７は、総和データから画像データの統計値を算出し、算出した統計値を画像補正ブロック５０ａ、５０ｂのそれぞれに供給する。そして、画像補正ブロック５０ａと画像補正ブロック５０ｂは、統計値算出部１７から供給された統計値に基づいて画像補正量を求め、この画像補正量を用いて画像データに対して画像補正を行う。画像補正ブロック５０ａと画像補正ブロック５０ｂにて画像補正された画像データｄ６ａ、ｄ６ｂは、マルチプレクサ２１に供給される。
【００３４】
マルチプレクサ２１は、２つの画像データｄ６ａ、ｄ６ｂを１つにまとめた画像データＳ２を生成し、生成した画像データＳ２を画像表示部１２０に出力する。この場合、マルチプレクサ２１は、レジスタ部１３より供給される設定値Ｓｅｔ４に基づいて処理を行う。そして、画像表示部１２０は、マルチプレクサ２１から供給される画像データＳ２を表示する。
【００３５】
なお、自動画像補正回路１００は、２つの画像データｄ６ａ、ｄ６ｂを１つにまとめることなく、２つの画像データを画像表示部１２０に出力してもよい。この場合には、自動画像補正回路１００はマルチプレクサ２１を有しなくてもよく、画像補正ブロック５０ａ、５０ｂから出力される画像データｄ６ａ、ｄ６ｂが、そのまま画像表示部１２０に供給される。
【００３６】
次に、画像補正ブロック５０ａ、５０ｂ、及び統計値算出部１７にて実行される画像処理を詳細に説明する。
【００３７】
画像補正ブロック５０ａは、ＹＵＶ変換部１５ａと、総和データ算出部１６ａと、補正量算出部１８ａと、画像補正部１９ａと、ＲＧＢ変換部２０ａと、を備えている。同様に、画像補正ブロック５０ｂは、ＹＵＶ変換部１５ｂと、総和データ算出部１６ｂと、補正量算出部１８ｂと、画像補正部１９ｂと、ＲＧＢ変換部２０ｂと、を備えている。
【００３８】
ＹＵＶ変換部１５ａ、１５ｂには、それぞれ画像データｄ２ａ、ｄ２ｂと、クロック信号ＣＬＫ２ａ、ＣＬＫ２ｂと、が入力される。ＹＵＶ変換部１５ａ、１５ｂは、ＲＧＢ形式の画像データｄ２ａ、ｄ２ｂをＹＵＶ形式に変換する（ＹＵＶ変換）。ＹＵＶ変換部１５ａ、１５ｂは、ＹＵＶ変換した画像データｄ３ａ、ｄ３ｂを画像補正部１９ａ、１９ｂに供給すると共に、ＹＵＶ変換した画像データｄ４ａ、ｄ４ｂを総和データ算出部１６ａ、１６ｂに供給する。なお、ＹＵＶ変換部１５ａ、１５ｂは、画面の一部の領域（サンプリングエリアとも呼ぶ。）を抽出したデータを画像データｄ４ａ、ｄ４ｂとして総和データ算出部１６ａ、１６ｂに供給することができる。
【００３９】
総和データ算出部１６ａ、１６ｂは、取得した画像データｄ４ａ、ｄ４ｂに係る総和データを算出する。具体的には、総和データ算出部１６ａ、１６ｂは、階調値のヒストグラムを生成すると共に、輝度総和と彩度総和を算出する。また、総和データ算出部１６ａ、１６ｂは、供給される同期信号ＳＹ３ａ、ＳＹ３ｂのタイミングにてフレーム期間中に上記の処理を行う。このように算出された総和データＳｕｍ＿ａ、Ｓｕｍ＿ｂは、統計値算出部１７に出力される。
【００４０】
統計値算出部１７は、取得した総和データＳｕｍ＿ａ、Ｓｕｍ＿ｂに基づいて、画像データｄ４ａ、ｄ４ｂの輝度及び彩度に係る統計値を算出する。具体的には、統計値算出部１７は統計値として、輝度の最大値／最小値と、輝度及び彩度の平均値と、輝度の標準偏差と、を算出する。統計値算出部１７は、供給される同期信号ＳＹ４のタイミングにて上記の処理を行うと共に、総和データ算出部１６ａ、１６ｂによる１つのフレームの処理が終了した後に処理を行う。
【００４１】
また、統計値算出部１７は、レジスタ部１３から供給される信号Ｓｅｔ１に基づいて、総和データＳｕｍ＿ａ、Ｓｕｍ＿ｂから統計値Ｓｔａ＿ａ、Ｓｔａ＿ｂを算出する。具体的には、信号Ｓｅｔ１は、統計値算出部１７が総和データ算出部１６ａ及び１６ｂから出力された総和データＳｕｍ＿ａ及びＳｕｍ＿ｂの各々を、後段の画像補正部１９ａ、１９ｂにおいて使用する統計値とする（以下、「統計値独立モード」とも呼ぶ。）か、それらの総計を画像補正部１９ａ、１９ｂにおいて使用する統計値とする（以下、「統計値総計モード」とも呼ぶ。）か、を示すモード情報を含んでいる。信号Ｓｅｔ１が統計値総計モードを示している場合、統計値算出部１７は、総和データＳｕｍ＿ａ、Ｓｕｍ＿ｂの各々から算出した統計値を総計した値を統計値として出力する。この場合、統計値算出部１７から出力される統計値Ｓｔａ＿ａと統計値Ｓｔａ＿ｂは同一の値となる。このように総計して同一の値にされた統計値を画像補正に用いることにより、画像補正ブロック５０ａ、５０ｂにて別個に算出された統計値が異なる場合であっても、画像補正ブロック５０ａ、５０ｂにおいて実行される画像補正に相違は生じない。即ち、自動画像補正回路１００は、分割された画像データに対して複数ブロックにて画像補正を行っても、各々の画像データに対して同一の統計値に基づいて画像補正を行っているため、表示される画像において、分割された画像データの境目に筋などが生じることはない。
【００４２】
一方、信号Ｓｅｔ１が統計値独立モードを示している場合、統計値算出部１７は、総和データＳｕｍ＿ａ、Ｓｕｍ＿ｂの各々から算出された統計値をそれぞれ画像補正部１９ａ及び１９ｂへ出力する。即ち、統計値算出部１７は、総和データＳｕｍ＿ａ及びＳｕｍ＿ｂの各統計値を総計しない。よって、統計値算出部１７から出力される統計値Ｓｔａ＿ａと統計値Ｓｔａ＿ｂは異なる値となる。例えば、テレビ電話などにて送信側の画像と受信側の画像を同時に表示させる場合（即ち、複数画面同時表示を行う場合）には、上記の２つの画像データから算出された統計値Ｓｔａ＿ａ、Ｓｔａ＿ｂを総計することなく、そのまま画像補正に用いる。これにより、自動画像補正回路１００は、送信側の画像と受信側の画像の各々に対して適切な画像補正を行うことが可能となる。
【００４３】
なお、信号Ｓｅｔ１により統計値算出部１７が統計値総計モードと統計値独立モードのいずれに設定されるかは、自動画像補正回路１００が対象とする画像の性質、内容などに応じて当該自動画像補正回路１００を搭載した機器などのＣＰＵが決定し、それを示す信号をホストＩ／Ｆ１２に供給する。例えば、ＣＰＵは通常の１つの画像データを表示する場合には統計値総計モードを指定するモード指定信号をホストＩ／Ｆ１２に供給し、ＴＶ電話などのように異なる独立な２つの画像データを同時に表示する場合には統計値独立モードを指定するモード指定信号をホストＩ／Ｆ１２に供給する。ホストＩ／Ｆ１２は上記のモード指定信号に対応するレジスタ値をレジスタ部１３に供給し、レジスタ部１３はこのレジスタ値を信号Ｓｅｔ１として統計値算出部１７に供給する。
【００４４】
以上のように算出された統計値Ｓｔａ＿ａ、Ｓｔａ＿ｂは、補正量算出部１８ａ、１８ｂに供給される。補正量算出部１８ａ、１８ｂは、取得した統計値Ｓｔａ＿ａ、Ｓｔａ＿ｂに基づいて画像データに対して補正する強さ（即ち、画像補正量）を算出する。具体的には、補正量算出部１８ａ、１８ｂは、レベル補正係数と、ガンマ補正量と、コントラスト補正量と、彩度補正量と、を算出する。この際、補正量算出部１８ａ、１８ｂは、レジスタ部１３から供給される設定値Ｓｅｔ２ａ、２ｂに基づいて画像補正量を調整する。即ち、コントラスト補正などの各画像補正は、レジスタ部１３に設定された設定値に応じた強度で実行されることになる。こうして算出された画像補正量に対応する信号Ｃｏｒｒ＿ａ、Ｃｏｒｒ＿ｂは、画像補正部１９ａ、１９ｂに出力される。
【００４５】
画像補正部１９ａ、１９ｂには、レジスタ部１３から供給される設定値Ｓｅｔ３ａ、Ｓｅｔ３ｂと、補正量算出部１８ａ、１８ｂから供給される補正量Ｃｏｒｒ＿ａ、Ｃｏｒｒ＿ｂと、ＹＵＶ変換部１５ａ、１５ｂにてＹＵＶ変換された画像データｄ３ａ、ｄ３ｂと、が供給される。画像補正部１９ａ、１９ｂは、画像データｄ３ａ、ｄ３ｂに対して、補正量Ｃｏｒｒ＿ａ、Ｃｏｒｒ＿ｂ及び設定値Ｓｅｔ３ａ、Ｓｅｔ３ｂに基づいて画像補正を行う。具体的には、画像補正部１９ａ、１９ｂは、レベル補正と、ガンマ補正と、コントラスト補正と、彩度補正と、を画像データｄ３ａ、ｄ３ｂに対して行う。こうして画像補正された画像データｄ５ａ、ｄ５ｂは、ＲＧＢ変換部２０ａ、２０ｂに出力される。
【００４６】
ＲＧＢ変換部２０ａ、２０ｂは、供給されたＹＵＶ形式の画像データｄ５ａ、ｄ５ｂをＲＧＢ形式のデータに変換する（即ち、「ＲＧＢ変換」）。ＲＧＢ変換部２０ａ、２０ｂは、ＲＧＢ変換した画像データｄ６ａ、ｄ６ｂをマルチプレクサ２１に供給する。そして、マルチプレクサ２１は、２つの画像データｄ６ａ、ｄ６ｂを１つにまとめた画像データｄ７を出力する。
【００４７】
次に、係数設定部３１の動作について詳細に説明する。上述のように、レジスタ部１３には、コントラスト補正、彩度補正などの各種画像補正を行う強度を示す画像補正量に対応する設定値が設定される。そして、自動画像補正回路１００の補正量算出部１８ａ、１８ｂ及び画像補正部１９ａ、１９ｂは、レジスタ部１３に設定された設定値に基づいて、画像補正を実施する。よって、レジスタ部１３に設定される画像補正量を調整することにより、各種画像補正の強度（度合い）を調整することが可能となっている。
【００４８】
本発明では、放送局９０から受信したＴＶ番組の放送局及びジャンルに基づいて、自動画像補正回路１００が実施する各種画像補正の強度を自動的に調整する点に特徴を有する。具体的には、係数設定部３１は、受信部１１０から供給される復調信号Ｓ１に含まれる画像ソース種別情報Ｓｂｒに基づいて、変換テーブル３２を参照して、受信したＴＶ番組の画像データに対して自動画像補正回路１００が実施する各種画像補正の強度を調整する。
【００４９】
変換テーブル３２は、第１の変換テーブル３２ａ及び第２の変換テーブル３２ｂにより構成されている。図３に、第１の変換テーブル３２ａの一例を示し、図４に第２の変換テーブル３２ｂの一例を示す。図示のように、第１の変換テーブル３２ａは、ＴＶ番組のチャンネル及びジャンル毎に、当該番組の画像データの画質の好ましい調整レベルを記述している。例えば、図３の最上行に示すように、画像データが、チャンネル「１ｃｈ」に対応する放送局から送信され、ジャンル「ニュース、天気予報」の番組である場合、その画像は明るさ及び彩度を１レベル増加させ、コントラストを２レベル増加させるように画質を修正すべきであることが示されている。なお、図３に示す第１の変換テーブル３２ａにおける「調整レベル」は、画質調整について人間が把握しやすい基準に従って定められたレベルを示しており、概念としては例えばＴＶモニタなどにおいてユーザが画質調整を行う際に便宜的に設定されているレベル（例えば「明るさ０〜５０」など）と同等である。これに対して、自動画像補正回路１００における画像補正量又はレジスタ部１３の設定値は、自動画像補正回路１００内における基準に基づいて設定されている。よって、第１の変換テーブル３２ａ内に規定されている調整レベルと、自動画像補正回路１００内において取り扱われる画像補正量又はレジスタの設定値は、異なるものである。
【００５０】
いま、ＴＶ受信システム１がチャンネル「１ｃｈ」に対応する放送局から「ニュース」のＴＶ番組を受信していると仮定すると、係数設定部３１はその旨を示す画像ソース種別情報Ｓｂｒを受け取る。そして、係数設定部３１は、図３に示す第１の変換テーブル３２ａを参照し、当該番組の画像データに対して明るさ及び彩度を１レベル増加し、コントラストを２レベル増加させることを決定し、図４に示す第２の変換テーブル３２ｂによって、自動画像補正回路１００が実行可能である強度レベルのデータへと変換する。この強度レベルの設定値をレジスタ部１３に設定する。
【００５１】
これにより、本例では第１の変換テーブル３２ａを利用して決定された調整レベルが、明るさ「１」、彩度「１」、コントラスト「２」であるので、実際に自動画像補正回路１００は第２の変換テーブル３２ｂを参照し、当該ＴＶ番組の画像データに対して、コントラストとして、実際回路上で動作する強度レベル「８」を設定し、画像補正を行うことが可能となる。
【００５２】
なお、第２の変換テーブル３２ｂによるこの処理は、第１の変換テーブル３２ａに設定された人間が認識可能な調整レベルを、自動画像補正回路１００内における画像補正量に変換する処理とともに、逆方向である自動画像補正回路１００内の画像補正量を保持しているレジスタ部１３のデータを、人間が認識可能な調整レベルへ変換することも可能である。
【００５３】
また、第２の変換テーブル３２ｂを持ち、このような変換処理を行うように構成することにより、変換テーブルの作成が容易になる。即ち、仮に変換テーブル内に自動画像補正回路１００内における画像補正量又はそれに対応するレジスタ設定値を記述することとすると、変換テーブル内に調整レベルを設定するために自動画像補正回路内における補正方法などに関する十分な知識が必要となる。これに対して、本発明では、第１の変換テーブル３２ａには、人間が認識しやすい基準に基づく調整レベルを設定しておき、第２の変換テーブル３２ｂがその調整レベルから、自動画像補正回路１００内で用いられる画像補正量への変換を行うように構成しているので、自動画像補正回路による画像補正のしくみなどについての知識を必要とすることなく変換テーブルを作成することが可能となる。
【００５４】
以上のように、本発明では、画像データの画像ソース種別情報に基づいて、自動画像補正回路１００内で実行される画像補正の強度を自動的に調整するように構成されているので、ＴＶ番組のチャンネルやジャンルに応じてユーザ自身が自動画像補正の強度をマニュアル調整する必要はなく、自動的に当該ＴＶ番組に応じた適切な画像補正がなされることになる。
【００５５】
また、図５に示されるようなＴＶ受信システムにおいて、ＴＶを視聴している一般ユーザーが、好みの補正調整を行う場合、第１の変換テーブル３２ａが一般的な補正量記述となっているため、容易に調整が可能である。さらに、このＴＶ番組ジャンルごとに調整を一般ユーザーが変えた場合には、第１の変換テーブル３２ａの内容が変更される。このため、映画を視聴後に、別のチャンネルのニュース番組を視聴した場合にも、第１の変換テーブル３２ａに従い補正を変更している本発明では、違和感なく、チャンネルを変更できる。従来のユーザー設定による補正の場合には、このチャンネル情報と補正量を記憶している部分がないため、チャンネルや番組を変更した場合には、補正と番組が一致しておらず、違和感のある画像が表示される場合がある。これは、映画がなどの映像ソースの場合には、階調性が重視されるが、ニュースなどの場合には、階調性よりも視認性を重視し、よりコントラストをはっきりさせた画像が好まれるような例を見れば明らかである。また、各ユーザーによって、同じ映画を見る場合にも、加齢効果により、明るい画像でなければよく見えなくなる場合もある。このような、ユーザーの好みを表示装置自身が記憶することにより、映像ソースの変更があっても自動的に、一度設定した補正にて表示を行えることは、ユーザーがいちいち設定のし直しを行う手間が省けて、便利である。
【図面の簡単な説明】
【００５６】
【図１】本発明を適用したＴＶ受信システムの概略構成図である。
【図２】実施形態に係る自動画像補正回路の概略構成を示す図である。
【図３】第１の変換テーブルの例を示す。
【図４】第２の変換テーブルの例を示す。
【図５】本発明を適用したＴＶ受信システムの概観図である。
【符号の説明】
【００５７】
１  ＴＶ受信システム、  １１  ＬＶＤＳ受信部、  １２  ホストＩ／Ｆ、  １６ａ、１６ｂ  総和データ算出部、  １７  統計値算出部、  １８ａ、１８ｂ  補正量算出部、  １９ａ、１９ｂ  画像補正部、  ２１  マルチプレクサ、３１  係数設定部、  ３２  変換テーブル  ５０ａ、５０ｂ、５０ｃ  画像補正ブロック、  １００  自動画像補正回路、  １１０  受信部、  １２０  画像表示部
【図１】
2006173856.tif 000003
【図２】
2006173856.tif 000004
【図３】
2006173856.tif 000005
【図４】
2006173856.tif 000006
【図５】
2006173856.tif 000007